【事件の表示】
　特願２０１０−５１４７２１「ネットワーク・アーキテクチャを介してディスプレイ装置特有のコンテンツを供給する方法、装置及びシステム」拒絶査定不服審判事件〔平成２０年１２月３１日国際公開、ＷＯ２００９／００２３２４、平成２２年　９月２４日国内公表、特表２０１０−５３１６１９〕について、次のとおり審決する。
【結　論】
　本件審判の請求は、成り立たない。
【理　由】
第１　手続の経緯
　本願は、２００７年６月２８日を国際出願日とする特許出願（特願２０１０−５１４７２１号）であって、手続の概要は以下のとおりである。 
　
手続補正　　　　　　　　：平成２２年　６月１５日
拒絶理由通知　　　　　　：平成２４年　７月　６日（起案日）
手続補正　　　　　　　　：平成２４年１２月２８日
拒絶査定　　　　　　　　：平成２５年　４月２３日（起案日）
拒絶査定不服審判請求　　：平成２５年　８月２７日
手続補正　　　　　　　　：平成２５年　８月２７日
拒絶理由（当審・最初）　：平成２６年１１月１８日（起案日）
手続補正　　　　　　　　：平成２７年　５月２２日
 　
第２　本願発明
　本願の請求項１に係る発明（以下、「本願発明」という。）は、平成２７年５月２２日付けの手続補正書により補正された特許請求の範囲の請求項１に記載された事項により特定される、以下のとおりのものである。
 　
　　【請求項１】
（Ａ）ネットワークを介してディスプレイ装置特有のビデオ・コンテンツを供給する方法であって、
（Ｂ）複数の仮想装置モデルに応じて生成されたビデオ・コンテンツの複数の仮想モデル・バージョンをコンテンツ・サーバにおいて記憶する工程であって、前記複数の仮想装置モデルそれぞれは、ディスプレイ装置の少なくとも１つのディスプレイ特性を表す仮想モデル仕様を有する工程と、
（Ｃ）前記仮想モデル仕様の前記ディスプレイ特性の少なくとも１つと、意図されたディスプレイ装置のディスプレイ特性との比較に基づいて、意図されたディスプレイ装置についてユーザによって選択されたビデオ・コンテンツの前記複数の前記仮想モデル・バージョンのうちの特定の仮想モデル・バージョンを供給する工程とを含み、
（Ｄ）前記複数の仮想モデル・バージョンは、ベース層バージョン、及び複数のエンハンスメント層から導き出すことが可能であり、前記複数のエンハンスメント層それぞれは階層的であり、別々の仮想モデル・バージョン間の差を表す方法。
 　
　上記（Ａ）ないし（Ｄ）は合議体が段落毎に分説した。以下、各段落（Ａ）ないし（Ｄ）をそれぞれ、構成要件（Ａ）、構成要件（Ｂ）などという。
　
第３　刊行物の記載事項
（１）刊行物１の記載
　当審における拒絶の理由の通知において引用された特開２００４−２６０３６２号公報（以下、「刊行物１」という。）には、図面と共に以下の事項が記載されている。
　
【０００１】
【発明の属する技術分野】
本発明は、ストリーム配信方法、ストリーム配信装置、送信端末及び受信端末に関し、特に、一以上の送信端末から送信された音声や動画像などのストリームデータを、同時に一以上の受信端末へ、該受信端末の表示能力に適合したストリームデータに変換して配信し表示出力するストリーム配信方法、ストリーム配信装置、送信端末及び受信端末に関する。
【０００２】
近年、インターネットを活用して音声や映像のストリームデータを配信して、放送や多地点テレビ会議などが行われるようになってきた。
インターネットの端末も様々なものが普及しており、このような放送や多地点会議などを利用する端末も多種多様で、利用者の端末の表示能力に適合したストリームデータを多数の端末へ効率よく配信する方法の実現が望まれている。
　
【００１１】
図１７に示す実施例では、多対地テレビ会議の場合を想定して送信端末を複数台としているが、ストリーム放送の場合は、送信端末を１台として構成することができる。このときは、ストリーム配信装置３０の機能を送信端末に組み込んでもよい。
上記の受信端末の表示出力の能力に適合したストリームデータの符号化方法の一つとして、階層符号化の方法がある。
【００１２】
図１６は、階層符号化の概要である。
階層符号化は、画像ストリームデータの場合を例にとると、一本の画像ストリームデータを、画質の異なる幾つかのストリームに分解して、画質の程度に応じてレベル付けした階層ストリーム列とするものである。
画像ストリームデータを、画像の解像度の高低に応じてレベル分けして階層ストリーム列を構成する場合を例にして説明する。
【００１３】
画像ストリームデータを階層符号化して送信する送信側処理では、まず符号化Ｅ１において、原ストリームデータを最も低い解像度で符号化し、その結果を階層レベル１の階層ストリームＵ１とする。次に、符号化Ｅ２において、原画像を中解像度で符号化した結果と、前記符号化Ｅ１で作成した低解像度のストリームデータとの差分のデータを符号化し、その結果を階層レベル２の階層ストリームＵ２とする。さらに、符号化Ｅ３において、原画像を高解像度で符号化した結果と、前記符号化Ｅ２で生成した中解像度のストリームデータとの差分のデータを符号化し、その結果を階層レベル３の階層ストリームＵ３とする。
【００１４】
上記で生成した階層ストリームＵ１、Ｕ２、Ｕ３から成る階層ストリーム列を、受信側へ送信する。
受信側処理では、まず低解像度の階層ストリームＵ１を復号Ｄ１で復号して、低解像度の復号データ１を得る。ここで、受信側の表示出力の能力が低解像度レベルの場合は、該復号データ１を表示出力して処理を終了する。
【００１５】
次に、復号Ｅ２において階層ストリームＵ２を復号した結果を、前記復号Ｄ１で復号した復号データ１に付加的に加算することにより、中解像度の復号データ２を得る。ここで、受信側の表示出力の能力が中解像度レベルの場合は、該復号データ２を表示出力して処理を終了する。
さらに、復号Ｅ３において階層ストリームＵ３を復号した結果を、前記復号Ｄ２で復号した復号データ２に付加的に加算することにより、高解像度の復号データ３を得、これを表示出力して処理を終了する。
【００１６】
上記のように、ストリームデータを階層ストリーム列に符号化することにより、受信端末は、該階層ストリーム列の中から受信端末の表示能力に応じた階層レベルまでの階層ストリームを用いて表示出力できるようになり、送信側は一つの階層ストリーム列を送信するだけで、様々な表示出力の能力を持つ受信端末に効率よく対応できるようになる。
【００１７】
上記の説明では、受信側にて受信した階層ストリーム列から、自分の端末に適合した階層ストリームを選択する方法を述べたが、送信側にて受信端末の表示能力を把握している場合は、該受信端末へはその表示能力に見合った解像度までの階層ストリームを選択して送信することもできる。
図１６の階層符号化の概要では、３階層の階層符号化の例を示したが、階層数はこれに限定されない。
　
【００２５】
【発明の実施の形態】
図１は、本発明のストリーム配信方法（１）で、本発明の第一の実施形態を示している。
一以上の送信端末および一以上の受信端末がネットワーク４０を介してストリーム配信装置７０に接続され、送信端末から送信されたストリームデータが、ストリーム配信装置７０を経由して一以上の受信端末へ配信される。
【００２６】
図１の実施例では、送信端末５０ａ、５０ｂ、および、受信端末６０ａ、６０ｂの構成とし例示しているが、送信端末および受信端末とも一以上の任意の台数で構成することができる。
送信端末５０ａは、受信端末で表示出力すべきストリームデータを、階層ストリーム生成送信部５１ａで階層符号化して階層ストリーム列Ｕａを生成すると同時に、階層化情報通知部５２ａにて、該階層ストリーム列Ｕａに含まれる階層ストリームの属性情報を含む階層化情報Ｘａを生成した後、階層化情報Ｘａおよび階層ストリーム列Ｕａをストリーム配信装置７０へ送信する。
【００２７】
送信端末５０ｂについても、送信端末５０ａと同様に、ストリームデータを階層ストリーム生成送信部５１ｂで階層符号化して階層ストリーム列Ｕｂを生成すると同時に、階層化情報通知部５２ｂにて、該階層ストリーム列Ｕｂに含まれる階層ストリームの属性情報を含む階層化情報Ｘｂを生成した後、階層化情報Ｘｂおよび階層ストリーム列Ｕｂをストリーム配信装置７０へ送信する。
【００２８】
送信端末が３台以上設けられる場合も同様である。
ストリーム配信装置７０には、各送信端末に対応して階層化情報受信記憶部、バッファおよび出力抑制区間検出記憶部が設けられ、各受信端末に対応して端末能力情報受信記憶部、配信選択情報受信記憶部、コンポジット情報生成記憶部および階層選択部が設けられる。
【００２９】
図１に示す実施例では、送信端末５０ａに対応して階層化情報受信記憶部７１ａ、バッファ７７ａ、出力抑制区間検出記憶部７６ａが設けられ、受信端末６０ａに対応して端末能力情報受信記憶部７５ａ、配信選択情報受信記憶部７４ａ、コンポジット情報生成記憶部７２ａ、階層選択部７３ａが設けられる。
同様に、送信端末５０ｂに対応して階層化情報受信記憶部７１ｂ、バッファ７７ｂ、出力抑制区間検出記憶部７６ｂが設けられ、受信端末６０ｂに対応して端末能力情報受信記憶部７５ｂ、配信選択情報受信記憶部７４ｂ、コンポジット情報生成記憶部７２ｂ、階層選択部７３ｂが設けられる。
【００３０】
送信端末および受信端末が３台以上設けられる場合も同様である。
ストリーム配信装置７０は、送信端末５０ａからの階層ストリーム列Ｕａを受信すると、一旦バッファ７７ａに格納したのち、出力抑制区間検出記憶部７６ａが階層ストリーム列Ｕａから表示出力を抑制できる時間帯を意味する出力抑制区間を検出して記憶する。
【００３１】
送信端末５０ｂからの階層ストリーム列Ｕｂを受信した場合も同様で、一旦バッファ７７ｂに格納したのち、出力抑制区間検出記憶部７６ａが階層ストリーム列Ｕｂから出力抑制区間を検出して記憶する。
一方、送信端末５０ａから送信されてきた階層化情報Ｘａは、階層化情報受信記憶部７１ａにより記憶される。送信端末５０ｂから送信されてきた階層化情報Ｘｂについても同様で、階層化情報受信記憶部７１ｂにより記憶される。
【００３２】
端末能力情報受信記憶部７５ａは、予め受信端末６０ａから通知される受信端末６０ａの表示出力の能力を示す端末能力情報Ｎａを受信して記憶し、配信選択情報受信記憶部７４ａは予め受信端末６０ａから通知される受信端末６０ａの配信選択情報Ｚａを受信して記憶する。この配信選択情報Ｚａは、前記端末能力情報Ｎａで示されている受信端末６０ａの表示出力の能力では、全送信端末からのストリームデータを同時には表示出力できないときに使用されるもので、受信端末６０ａへ配信するストリームデータを選択して限定するために用いる。
【００３３】
端末能力情報受信記憶部７５ｂおよび配信選択情報受信記憶部７４ｂについても同様で、予め受信端末６０ｂからそれぞれ端末能力情報Ｎａおよび配信選択情報Ｚａを受信して記憶しておく。
コンポジット情報生成記憶部７２ａは、階層化情報受信記憶部に記憶されている各送信端末の階層化情報、および、端末能力情報記憶部７５ａに記憶されている受信端末６０ａの能力情報を参照して、受信端末６０ａが全送信端末からの階層ストリーム列を同時に表示出力するために許容できる、全送信端末に共通な端末許容階層レベル値を選定する。そして、各送信端末から配信されたストリームデータを受信端末６０ａが表示出力するために必要な、各送信端末別のコンポジット情報を生成し、前記選定した端末許容階層レベル値および全送信端末についてのコンポジット情報を集めたものをコンポジット情報Ｃａとし、コンポジット情報生成記憶部７２ａに保持する。この各送信端末別のコンポジット情報には、送信端末識別情報、ストリームデータを画面表示する際の画面表示開始位置、および、表示出力を抑制してよいか否かを示す出力抑制区間情報が含まれている。
　
【００３５】
図１に示す実施例では、コンポジット情報生成記憶部７２ａは、階層化情報受信記憶部７１ａ、７１ｂに記憶されている階層化情報と、端末能力情報記憶部７５ａに記憶されている受信端末６０ａの端末能力情報を参照し、受信端末６０ａが送信端末５０ａ、５０ｂからのストリームデータを同時に表示出力するために許容される端末許容階層レベル値を選定すると同時に、送信端末５０ａ、５０ｂについてのコンポジット情報を集めてコンポジット情報Ｃａとして保持する。
【００３６】
次に、階層選択部７３ａは、前記コンポジット情報Ｃａに登録されている送信端末について、各送信端末からの階層ストリーム列の中の最低位の階層から前記端末許容階層レベル値が示す階層までの階層ストリームを選択し、各送信端末についての選択された階層ストリームから成る階層ストリーム列Ｔａを受信端末６０ａへ送信する。同時に、前記コンポジット情報Ｃａの中から、受信端末６０ａが各送信端末からのストリームデータを画面に配置するための情報である画面表示開始位置を抽出して端末コンポジット情報Ｔａとし、受信端末６０ａへ送信する。
　
【００４１】
上記は送信端末数２、受信端末数２として説明したが、３以上の数の場合も同様である。
受信端末６０ａは、端末能力情報通知部６１ａが自端末の表示出力の能力を示す端末能力情報Ｎａを予めストリーム配信装置７０へ送信しておく。また、配信選択情報通知部６５ａは、最低位の階層ストリームだけ受信しても自端末の端末能力では全ての送信端末からのストリームデータを同時に表示できないときに、表示出力すべき送信端末を選択するための配信選択情報Ｚａを、予めストリーム配信装置７０へ送信しておく。
【００４２】
受信端末６０ａは、ストリーム配信装置７０から送信されてきた端末コンポジット情報Ｖａを端末コンポジット情報受信記憶部６２ａに保持する。ここで、端末コンポジット情報Ｖａには、各送信端末の識別情報と、該送信端末からのストリームデータを表示出力する画面上の領域を識別する画面表示開始位置との対が含まれており、受信したストリームデータに含まれている送信端末を識別する情報をキーに検索することにより、該ストリームデータを表示出力すべき画面上の領域が特定できる。
【００４３】
一方、ストリーム配信装置７０で選択されて送信されてきた階層ストリーム列Ｔａについては、復号部６３ａで復号された後、表示出力部６４ａが、端末コンポジット情報受信記憶部６２ａに記憶されている端末コンポジット情報Ｖａに従って表示出力する。
受信端末６０ｂについても同様で、端末能力情報通知６１ｂは端末能力情報Ｎｂを予めストリーム配信装置７０へ送信し、配信選択情報通知部６５ｂは配信選択情報Ｚｂを予めストリーム配信装置７０へ送信しておき、ストリーム配信装置７０から送信されてきた端末コンポジット情報Ｖｂを端末コンポジット情報受信記憶部６２ｂに保持する。一方、ストリーム配信装置７０で選択されて送信されてきた階層ストリーム列Ｔｂについては、復号部６３ｂで復号された後、表示出力部６４ｂが、端末コンポジット情報受信記憶部６２ｂに記憶されている端末コンポジット情報Ｖｂに従って表示出力する。
　
【００４５】
図１に示す実施例では、多対地テレビ会議の場合を想定して送信端末を複数台としているが、ストリーム放送などのように、送信端末数を１とすることもでき、この場合は、ストリーム配信装置７０の機能を送信端末に組み込んで一体化した構成にすることもできる。
また、コンポジット情報生成記憶部に保持されるコンポジット情報、端末能力情報受信記憶部に記憶される端末能力情報、配信選択情報受信記憶部に記憶される配信選択情報は、受信端末毎に記憶領域を設けずに全受信端末についての情報を一括して記憶してもよい。
【００４６】
同様に、階層化情報受信記憶部に記憶される送信端末毎の階層化情報、出力抑制区間検出記憶部に記憶される出力抑制区間情報は、全送信端末について一括して記憶してもよい。
図２は、本発明のストリーム配信方法による転送シーケンス（１）であり、図１の実施例の構成に従って、処理ステップ毎に説明する。
【００４７】
Ｓ０１．  受信端末６０ａは、予め端末能力情報Ｎａおよび配信選択情報Ｚａを、ストリーム配信装置７０へ送信しておく。
ここで、端末能力情報Ｎａは、受信端末６０ａの表示出力の能力を示す情報で、例えば後述する図３に示す本発明の端末能力情報の構成では、最大解像度、最大ビットレートおよび最大フレームレートからなる。
【００４８】
配信選択情報Ｚａは、前記端末能力情報Ｎａに示される表示出力の能力では、全ての送信端末からのストリームデータを同時に受信端末６０ａに表示出力することができないとストリーム配信装置７０が判定したときに、受信端末６０ａに配信するストリームデータを選択して限定する際に使用する情報である。例えば、後述する図８に示す配信選択情報の構成では、各送信端末からのストリームデータの表示出力可否の情報、あるいは、各送信端末からのストリームデータを表示出力する優先順位を表す表示出力優先度の情報、として構成することができる。
【００４９】
端末能力情報Ｎａ、配信選択情報Ｚａについては、後述する図３の本発明の端末能力情報の構成および図８の本発明の配信選択情報の構成を参照。
Ｓ０２．  ストリーム配信装置７０は、受信端末６０ａから受信した端末能力情報Ｎａおよび配信選択情報Ｚａを、それぞれ、端末能力受信記憶部７５ａおよび配信選択情報受信記憶部７４ａに記憶する。
　
【００５１】
上記ステップＳ０１〜Ｓ０４の説明では、受信端末６０ａについての処理の後に受信端末６０ｂの処理を記述した。ステップＳ０１〜Ｓ０２とステップＳ０３〜Ｓ０４の処理順序は、受信端末の送信タイミングＴ０１により逆になる場合もあるが、処理内容は同様である。
Ｓ０５．  送信端末５０ａは、階層ストリーム列Ｕａ内の各階層ストリームを受信端末に表示出力するために必要な表示出力の所要能力値を含んでいる階層化情報Ｘａ、および、階層ストリーム列Ｕａを、ストリーム配信装置７０へ送信する。
【００５２】
階層化情報Ｘａの実施例については、後述する図４の本発明の階層化情報の構成を参照。
Ｓ０６．  ストリーム配信装置７０は、受信した階層化情報Ｘａを階層化情報受信記憶部７１ａに記憶する。
また、受信した階層ストリーム列Ｕａをバッファ７７ａに格納すると同時に、受信端末への表示出力を抑制できる出力抑制区間を検出し、その結果を出力抑制区間検出記憶部７６ａに記憶しておく。
　
【００５５】
Ｓ０９．  ストリーム配信装置７０は、上記ステップＳ０１で記憶されている受信端末６０ａの端末能力情報Ｎａと配信選択情報Ｚａ、ステップＳ０６およびＳ０８で記憶されている階層化情報Ｘａ、Ｘｂ、および、出力抑制区間検出記憶部に記憶されている出力抑制区間情報Ｐａ、Ｐｂから、受信端末６０ａに対応するコンポジット情報Ｃａを生成して、コンポジット情報生成記憶部７２ａに記憶する。コンポジット情報Ｃａの詳細については後述する図５の本発明のコンポジット情報の構成を、また、コンポジット情報生成記憶部７２ａの詳細については、後述する図９の本発明のコンポジット情報生成記憶部の動作フローチャートを参照。
【００５６】
ここで、受信端末６０ａの端末能力では、最下位の階層ストリームに限定しても、全送信端末からのストリームデータを同時には表示出力できないと判定された場合は、配信選択情報Ｚａにより配信対象外に選定された送信端末に関するコンポジット情報は、コンポジット情報Ｃａに登録されない。
Ｓ１０．  ステップＳ０９で生成したコンポジット情報Ｃａから、受信端末６０ａが各送信端末からのストリームデータを表示出力する際の画面配置情報を抽出し、端末コンポジット情報Ｖａとして受信端末６０ａへ送信する。
【００５７】
端末コンポジット情報Ｖａの詳細については、後述する図６の本発明の端末コンポジット情報の構成を参照。
また、コンポジット情報Ｃａに登録されている送信端末からの階層ストリーム列の中から、コンポジット情報Ｃａに設定されている受信端末６０ａの端末許容階層レベル値Ｌａに相当する階層レベルまでの階層ストリームを選択して階層ストリーム列Ｔａとし、受信端末６０ａへ送信する。
【００５８】
従って、上記ステップＳ０９の処理で配信選択情報受信記憶部７４ａに保持されている配信選択情報Ｚａが有効となって配信対象からはずされている送信端末については、コンポジット情報Ｃａに登録されていないため、該送信端末からの階層ストリーム列は、受信端末６０ａへ配信されない。
図２に示す実施例では、送信端末５０ａ、５０ｂは配信対象からはずされていない前提で記述しており、送信端末５０ａ用のバッファ７７ａに格納されている階層ストリーム列Ｕａ、および、送信端末５０ｂ用のバッファ７７ｂに格納されている階層ストリーム列Ｕｂから、コンポジット情報Ｃａに設定されている受信端末６０ａの端末許容階層レベル値Ｌａに相当する階層レベルまでの階層ストリームを選択して階層ストリーム列Ｔａとし、受信端末６０ａへ送信する。
【００５９】
上記は、送信端末数が２の場合について述べたが、送信端末数が２以外の場合も同様で、全送信端末からの端末許容階層レベル値Ｌａ以下の階層ストリームの列が、階層ストリーム列Ｔａとして受信端末６０ａへ送信される。
Ｓ１１．  受信端末６０ａは、ストリーム配信装置７０より送信されてきた階層ストリーム列Ｔａを復号した後、同じくストリーム配信装置７０から通知された端末コンポジット情報Ｖａに含まれている情報に従って、各送信端末からのストリームデータを同時に表示出力する。
【００６０】
端末コンポジット情報Ｖａには、各送信端末毎の送信端末識別情報と画面表示開始位置が含まれており、受信端末６０ａは、この端末コンポジット情報Ｖａを基に、各送信端末からのストリームデータを同時に表示出力することができる。
受信端末６０ａへの表示出力については、後述する図７の本発明の受信端末の表示出力例を参照。
　
【００６５】
上記の説明では、送信端末数を２、受信端末数を２として説明したが、２以外の数の場合も同様である。
図３は、本発明の端末能力情報の構成である。
受信端末６０ａについての端末能力情報Ｎａを示しており、最大合計解像度Ｎａ（ＭＷＨ）は、端末の画面に表示できる画像の情報量を表すもので、端末の画面に表示できる画素数である。最大合計ビットレートＮａ（ＭＦＲ）は、端末が１秒間に受信可能なビット数である。最大合計フレームレートＮａ（ＭＦＲ）は、端末の画面表示において１秒間に何回画面を書き換えることができるかを表す指標である。
【００６６】
ここでは、上記３種類の端末能力情報による実施例を基に説明するが、端末能力情報の種類は、これに限定されるものではない。また、図３の実施例は、受信端末６０ａについて記載しているが、受信端末６０ａ以外の受信端末についても同様である。
図４は、本発明の階層化情報の構成である。
【００６７】
送信端末５０ａに対応した階層化情報Ｘａを示しており、階層符号化されたストリームデータである階層ストリーム列内の、各階層レベルに対応した階層ストリームを端末へ表示出力する際に必要な端末の所要能力値を含んでいる。階層化情報に含まれる所要能力値の種類は、上記図３に示した端末能力情報の種類に対応するように構成される。
【００６８】
最低位階層レベルとなる階層レベル１の階層化情報Ｘａ（１）は、階層レベル１に対応する階層ストリームを識別するためのストリーム識別情報Ｘａ（１，Ｓ）、所要解像度Ｘａ（１，ＷＨ）、所要ビットレートＸａ（１，ＢＲ）および所要フレームレートＸａ（１，ＦＲ）で構成されている。他の階層レベルについても同様で、例えば階層レベルｎの階層化情報Ｘａ（ｎ）は、階層レベルｎに対応する階層ストリームを識別するためのストリーム識別情報Ｘａ（ｎ，Ｓ）、所要解像度Ｘａ（ｎ，ＷＨ）、所要ビットレートＸａ（ｎ，ＢＲ）および所要フレームレートＸａ（ｎ，ＦＲ）で構成される。
【００６９】
図４の実施例では、送信端末５０ａについて記載しているが、送信端末５０ａ以外の送信端末についても同様である。
図５は、本発明のコンポジット情報の構成である。
本コンポジット情報は、ストリーム配信装置７０に接続されている各受信端末に対応して設けられるコンポジット情報生成記憶部で生成され保持される。
【００７０】
図５の実施例は、受信端末６０ａに対応したコンポジット情報Ｃａを示している。
端末許容階層レベルＬａは、受信端末６０ａが保有する表示出力の能力でストリーム配信装置７０に接続されている全送信端末からのストリームデータを同時に表示出力するために、各送信端末から送信されてくる階層ストリーム列の中から選択すべき階層レベルの値を示すもので、全送信端末に共通の階層レベル値となる。
【００７１】
つまり、各送信端末から送信されてきる階層ストリーム列の中から、最低位階層レベルから端末許容階層レベル値Ｌａが示す階層までの間の階層ストリームを選択して、受信端末６０ａへ送信するもので、受信端末６０ａは、ここで選択された階層ストリーム列を表示出力することにより、受信端末６０ａの表示出力の能力内で、全送信端末からのストリームデータを同時に表示出力できるようになる。
【００７２】
コンポジット情報Ｃａ（５０ａ）は、送信端末５０ａから送信されてきたストリームデータを受信端末６０ａに表示出力する必要な情報をまとめたコンポジット情報で、送信端末識別情報Ｃａ（５０ａ，ＩＤ）、画面表示開始位置Ｃａ（５０ａ，ＤＰ）および出力抑制区間情報Ｃａ（５０ａ，Ｐ）を含んでいる。
送信端末識別情報Ｃａ（５０ａ，ＩＤ）は送信端末５０ａの識別情報である。画面表示開始位置Ｃａ（５０ａ，ＤＰ）は、送信端末５０ａからのストリームデータを表示出力する受信端末６０ａの画面上の表示開始位置を示す情報である。出力抑制区間情報Ｃａ（５０ａ，Ｐ）は、該送信端末から送信されてきたストリームデータを一時的に配信停止しても、受信端末への表示出力への影響が小さい場合に、該ストリームデータの配信を一時中断するための情報である。例えば、音声情報が途絶えていることを示す無音区間、および、画像の動きが止まっていることを示す無動作区間があり、無音区間の場合は音声ストリームデータを、無動作区間の場合は、動画ストリームデータの配信を抑制する。
　
第４　刊行物に記載された発明
　以上の記載によれば、刊行物１には次の発明（以下、刊行物１発明という。）が記載されている。
　
４ａ．刊行物１の【０００１】、【０００２】の記載によれば、刊行物１に記載された発明は、「一以上の送信端末から送信された音声や動画像などのストリームデータを、同時に一以上の受信端末へ、該受信端末の表示能力に適合したストリームデータに変換して配信し表示出力するストリーム配信方法」に関する発明であるといえ、上記配信は、「インターネットを活用して音声や映像のストリームデータを配信」することを含むものであるといえる。
　以上のことから、刊行物１には「インターネットを活用して、送信端末から送信された音声や動画像などのストリームデータを、受信端末の表示能力に適合したストリームデータに変換して配信するストリーム配信方法」に関する発明が開示されているといえる。
　
４ｂ．刊行物１の【００２５】−【００３０】の記載によれば、刊行物１のストリーム配信装置は、送信端末５０ａから、階層符号化された階層ストリーム列Ｕａと階層化情報Ｘａを受信しているから、受信する行程を有している。
　また、刊行物１の【００６７】には、階層化情報Ｘａについて「階層符号化されたストリームデータである階層ストリーム列内の、各階層レベルに対応した階層ストリームを端末へ表示出力する際に必要な端末の所要能力値を含んでいる。」との記載がある。
　これはいいかえると、各階層レベルに対応した階層ストリームＵａを端末で表示出力するためには、端末は所定の能力値が必要であることが記載されているといえ、したがって、階層ストリーム列Ｕａの各階層レベルは、階層ストリームを表示する端末の所要能力値のレベルを表しているといえる。そして、所定の能力値は【００６８】の記載によれば、「所要解像度」、「所要ビットレート」、「所要フレームレート」であるから、端末の特性であるといえる。
　したがって、上記記載によれば、複数の階層レベルのそれぞれは、端末の特性のレベルを表しているといえ、さらに【００６８】には、上記階層は１ないしｎの階層レベルであることが記載されているから、１ないしｎの階層レベルのそれぞれは、端末の特性のレベルを表す階層レベルであることが記載されているといえる。
　したがって、刊行物１には、「１ないしｎの階層レベルに階層符号化された階層ストリーム列Ｕａを受信する行程であって、１ないしｎの階層レベルのそれぞれは、端末の特性のレベルを表す階層レベルである行程」が記載されているといえる。
　
４ｃ．刊行物１の【００３５】には「階層化情報受信記憶部７１ａ、７１ｂに記憶されている階層化情報と、端末能力情報記憶部７５ａに記憶されている受信端末６０ａの端末能力情報を参照し、受信端末６０ａが送信端末５０ａ、５０ｂからのストリームデータを同時に表示出力するために許容される端末許容階層レベル値を選定すると同時に、送信端末５０ａ、５０ｂについてのコンポジット情報を集めてコンポジット情報Ｃａとして保持する。」と記載さている。上記実施例は、送信端末が５０ａと５０ｂの２台であるが、刊行物１の【００４５】には「図１に示す実施例では、多対地テレビ会議の場合を想定して送信端末を複数台としているが、ストリーム放送などのように、送信端末数を１とすることもでき、この場合は、ストリーム配信装置７０の機能を送信端末に組み込んで一体化した構成にすることもできる。」との記載があるから、送信端末が５０ａの一台のみの場合を刊行物１に記載された発明として認定すれば、刊行物１には、「階層化情報受信記憶部７１ａに記憶されている階層化情報と、端末能力情報記憶部７５ａに記憶されている受信端末６０ａの端末能力情報を参照し、受信端末６０ａが送信端末５０ａからのストリームデータを表示出力するために許容される端末許容階層レベル値を選定すると同時に、送信端末５０ａについてのコンポジット情報を集めてコンポジット情報Ｃａとして保持する。」ことが記載されているといえ、また、上記保持されたコンポジット情報は、【００３６】の記載によれば、「階層選択部７３ａは、前記コンポジット情報Ｃａに登録されている送信端末について、各送信端末からの階層ストリーム列の中の最低位の階層から前記端末許容階層レベル値が示す階層までの階層ストリームを選択し、各送信端末についての選択された階層ストリームから成る階層ストリーム列Ｔａを受信端末６０ａへ送信する。」とあるから、「階層化情報受信記憶部７１ａに記憶されている階層化情報と、端末能力情報記憶部７５ａに記憶されている受信端末６０ａの端末能力情報を参照し、受信端末６０ａが送信端末５０ａからのストリームデータを表示出力するために許容される端末許容階層レベル値を選定すると同時に、送信端末５０ａについてのコンポジット情報を集めてコンポジット情報Ｃａとして保持し、階層選択部７３ａは、前記コンポジット情報Ｃａに登録されている送信端末について、各送信端末からの階層ストリーム列の中の最低位の階層から前記端末許容階層レベル値が示す階層までの階層ストリームを選択し、各送信端末についての選択された階層ストリームから成る階層ストリーム列Ｔａを受信端末６０ａへ送信する。」ことが記載されているといえる。
　要約すると、「階層化情報と端末能力情報を参照し、受信端末６０ａが送信端末５０ａからのストリームデータを表示出力するために許容される端末許容階層レベル値を選定し、送信端末からの階層ストリーム列の中の最低位の階層から前記端末許容階層レベル値が示す階層までの階層ストリームを選択し、各送信端末についての選択された階層ストリームから成る階層ストリーム列Ｔａを受信端末６０ａへ送信する。」ことが記載されているといえる。
　上記「階層化情報受信記憶部７１ａに記憶されている階層化情報」は、４ｂで検討した階層化情報Ｘａであって、「階層符号化されたストリームデータである階層ストリーム列内の、各階層レベルに対応した階層ストリームを端末へ表示出力する際に必要な端末の所要能力値を含」む情報であるから、１ないしｎの階層レベルそれぞれの端末の特性を含む情報といえる。
　また、端末能力情報は、【００３２】、【００３３】の記載によれば、「予め受信端末６０ａから通知される受信端末６０ａの表示出力の能力を示す端末能力情報Ｎａ」であり、受信端末はストリーム配信装置に接続されるもの（【００２５】、【００６９】等）であるからるから、接続された受信端末の表示出力の能力を示す情報であるといえる。
　したがって、刊行物１には、「１ないしｎの階層レベルそれぞれの端末の特性を含む情報と接続された受信端末の表示出力の能力を示す情報とを参照し、受信端末６０ａが送信端末５０ａからのストリームデータを表示出力するために許容される端末許容階層レベル値を選定し、送信端末からの階層ストリーム列の中の最低位の階層から前記端末許容階層レベル値が示す階層までの階層ストリームを選択し、各送信端末についての選択された階層ストリームから成る階層ストリーム列Ｔａを受信端末６０ａへ送信する行程」が記載されている。
　
４ｄ．刊行物１の「階層符号化された階層ストリーム列Ｕａ」の階層符号化は、刊行物１の【００１２】−【００１７】の記載にあるように、符号化時に「まず符号化Ｅ１において、原ストリームデータを最も低い解像度で符号化し、その結果を階層レベル１の階層ストリームＵ１」とし、「原画像を中解像度で符号化した結果と、前記符号化Ｅ１で作成した低解像度のストリームデータとの差分のデータを符号化し、その結果を階層レベル２の階層ストリームＵ２」とし、「原画像を高解像度で符号化した結果と、前記符号化Ｅ２で生成した中解像度のストリームデータとの差分のデータを符号化し、その結果を階層レベル３の階層ストリームＵ３」として生成した階層ストリームＵ１、Ｕ２、Ｕ３から成る階層ストリーム列を、受信側へ送信し、受信側処理では、「まず低解像度の階層ストリームＵ１を復号Ｄ１で復号して、低解像度の復号データ１を得る。ここで、受信側の表示出力の能力が低解像度レベルの場合は、該復号データ１を表示出力して処理を終了」し、「階層ストリームＵ２を復号した結果を、前記復号Ｄ１で復号した復号データ１に付加的に加算することにより、中解像度の復号データ２を得る。ここで、受信側の表示出力の能力が中解像度レベルの場合は、該復号データ２を表示出力して処理を終了」し、「階層ストリームＵ３を復号した結果を、前記復号Ｄ２で復号した復号データ２に付加的に加算することにより、高解像度の復号データ３を得、これを表示出力して処理を終了す」る符号化復号化方式によるものであることが開示されている。
　上記階層符号化の例は、階層の数（すなわち、上記４ｂ．、４ｃ．における１ないしｎのｎの数）が３階層の場合であるが、階層数はこれに限らないことは、【００１７】に記載されている。
　したがって、刊行物１には、
「階層の数（ｎ）が３階層の場合、
　階層符号化された階層ストリーム列Ｕａは、
　送信側処理では、
　原ストリームデータを最も低い解像度で符号化（Ｅ１）した結果の階層ストリームＵ１、
　原画像を中解像度で符号化（Ｅ２）した結果とＥ１で作成したストリームとの差分のデータを符号化した階層ストリームＵ２、
　原画像を高解像度で符号化（Ｅ３）した結果とＥ２で作成したストリームとの差分のデータを符号化した階層ストリームＵ３、
　としたＵ１、Ｕ２、Ｕ３から成る階層ストリーム列を、受信側へ送信し、
　受信側処理では、
　低解像度の階層ストリームＵ１を復号Ｄ１で復号して、低解像度の復号データ１を得、受信側の表示出力の能力が低解像度レベルの場合は、該復号データ１を表示出力し、
　階層ストリームＵ２を復号した結果を、前記復号Ｄ１で復号した復号データ１に付加的に加算することにより、中解像度の復号データ２を得、受信側の表示出力の能力が中解像度レベルの場合は、該復号データ２を表示出力し、
　階層ストリームＵ３を復号した結果を、前記復号Ｄ２で復号した復号データ２に付加的に加算することにより、高解像度の復号データ３を得、これを表示出力する、
符号化復号化方式に用いるものである」
ことが記載されている。
　
４ｅ．まとめ
　以上まとめると、刊行物１発明として、以下のとおりのものを認定することができる。
　
（ａ）インターネットを活用して、送信端末から送信された音声や動画像などのストリームデータを、受信端末の表示能力に適合したストリームデータに変換して配信するストリーム配信方法であって、
（ｂ）１ないしｎの階層レベルに階層符号化された階層ストリーム列Ｕａを受信する行程であって、１ないしｎの階層レベルのそれぞれは、端末の特性のレベルを表す階層レベルである行程と、
（ｃ）１ないしｎの階層レベルそれぞれの端末の特性を含む情報と接続された受信端末の表示出力の能力を示す情報とを参照し、受信端末６０ａが送信端末５０ａからのストリームデータを表示出力するために許容される端末許容階層レベル値を選定し、送信端末からの階層ストリーム列の中の最低位の階層から前記端末許容階層レベル値が示す階層までの階層ストリームを選択し、各送信端末についての選択された階層ストリームから成る階層ストリーム列Ｔａを受信端末６０ａへ送信する行程とを含み、
（ｄ）階層の数（ｎ）が３階層の場合、
　階層符号化された階層ストリーム列Ｕａは、
　送信側処理では、
　原ストリームデータを最も低い解像度で符号化（Ｅ１）した結果の階層ストリームＵ１、
　原画像を中解像度で符号化（Ｅ２）した結果とＥ１で作成したストリームとの差分のデータを符号化した階層ストリームＵ２、
　原画像を高解像度で符号化（Ｅ３）した結果とＥ２で作成したストリームとの差分のデータを符号化した階層ストリームＵ３、
　としたＵ１、Ｕ２、Ｕ３から成る階層ストリーム列を、受信側へ送信し、
　受信側処理では、
　低解像度の階層ストリームＵ１を復号Ｄ１で復号して、低解像度の復号データ１を得、受信側の表示出力の能力が低解像度レベルの場合は、該復号データ１を表示出力し、
　階層ストリームＵ２を復号した結果を、前記復号Ｄ１で復号した復号データ１に付加的に加算することにより、中解像度の復号データ２を得、受信側の表示出力の能力が中解像度レベルの場合は、該復号データ２を表示出力し、
　階層ストリームＵ３を復号した結果を、前記復号Ｄ２で復号した復号データ２に付加的に加算することにより、高解像度の復号データ３を得、これを表示出力する、
符号化復号化方式に用いるものである方法。
　
第５　対比
　本願発明と刊行物１発明とを対比する。
　
５ａ．本願発明の構成要件（Ａ）と刊行物１発明の構成要件（ａ）とを対比する。
　本願発明のネットワークは、刊行物１発明のインターネットの上位概念といえ、したがって、刊行物１発明のインターネットを含むものであるといえるから、この点で相違はない。
　また、刊行物１発明の「音声や動画像などのストリームデータ」は、本願発明のビデオ・コンテンツといいうるものである。
　さらに、刊行物１発明の「受信端末の表示能力に適合したストリームデータに変換して配信する」ことは、本願発明の「ディスプレイ装置特有のビデオ・コンテンツ」に変換して配信していることといえるから、刊行物１発明の構成要件（ａ）と本願発明の構成要件（Ａ）とは相違がない。
　
５ｂ．本願発明の構成要件（Ｂ）と刊行物１発明の構成要件（ｂ）とを対比する。
　刊行物１発明の「１ないしｎの階層レベル」は、複数の階層であって、各階層毎に階層ストリームを有しているから、複数の各階層毎にビデオ・コンテンツを有しているといえる。
　そして、各階層レベルのそれぞれは端末の特性のレベルを表しているからディスプレイ装置の少なくとも１つのディスプレイ特性を表す仕様といえる。
　刊行物１発明において、ストリームを階層符号化する各階層レベルは、構成要件（ｃ）にあるように「１ないしｎの階層レベルそれぞれの端末の特性を含む情報と接続された受信端末の表示出力の能力を示す情報とを参照」するためのものであるから、接続された受信端末の表示能力（のレベル）と対比されるものであるといえるが、階層レベルは符号化器の能力等に応じてあらかじめ決められた所定のレベル（実施例では１ないしｎ）しかないのに対し、接続された受信端末はどのような端末が接続されるか不明であるから、上記あらかじめ決められたレベルと一対一で対応するとは限らないものであることは明らかである。そして刊行物１発明では、そのような場合を想定して、構成要件（ｃ）において「受信端末６０ａが送信端末５０ａからのストリームデータを表示出力するために
許容される端末許容階層レベル値
　もっとも、刊行物１発明における階層ストリーム列Ｕａの配信は、テレビ会議のようなものを想定しているから、配信するストリームは、カメラで撮像した画像を配信装置に送信し、配信装置が受信端末に配信する構成であって、したがって、刊行物１発明では、配信装置は、配信するコンテンツを得る行程として「受信する行程」であるのに対し、本願発明では、コンテンツをサーバから配信するものであるから、コンテンツを配信するコンテンツ・サーバは、上記コンテンツを得る行程として「コンテンツ・サーバにおいて記憶する工程」である点で相違する。
　以上のことから、刊行物１発明の構成要件（ｂ）は本願発明の構成要件（Ｂ）と「複数の仮想装置モデルに応じて生成されたビデオ・コンテンツの複数の仮想モデル・バージョンを得る行程であって、前記複数の仮想装置モデルそれぞれは、ディスプレイ装置の少なくとも１つのディスプレイ特性を表す仮想モデル仕様を有する工程」である点で相違がない。
　もっとも、上記「仮想モデル・バージョンを得る行程」が、本願発明では「仮想モデル・バージョンをコンテンツ・サーバにおいて記憶する工程」であるのに対し、刊行物１発明では「仮想モデル・バージョンを受信する行程」である点で相違する。
　
５ｃ．本願発明の構成要件（Ｃ）と刊行物１発明の構成要件（ｃ）とを対比する。
　上記５ｂ．で検討したとおり、刊行物１発明の階層レベルは、本願発明の仮想モデルといえるから、刊行物１発明の「１ないしｎの階層レベルそれぞれの端末の特性」は、本願発明の「前記仮想モデル仕様の前記ディスプレイ特性」に対応している。
　また、刊行物１発明の接続された受信端末は、上記受信端末を用いて、配信したストリームを表示することを意図しているから、意図されたディスプレイ装置であり、上記受信端末の表示出力の能力は意図されたディスプレイ装置のディスプレイ特性といえる。
　そして、刊行物１発明では、上記階層レベルそれぞれの端末の特性を含む情報と接続された受信端末の表示出力の能力を示す情報とを参照し、受信端末６０ａが送信端末５０ａからのストリームデータを表示出力するために許容される端末許容階層レベル値を選定し、送信端末からの階層ストリーム列の中の最低位の階層から前記端末許容階層レベル値が示す階層までの階層ストリームを選択し、各送信端末についての選択された階層ストリームから成る階層ストリーム列Ｔａを受信端末６０ａへ送信しているから、「前記仮想モデル仕様の前記ディスプレイ特性の少なくとも１つと、意図されたディスプレイ装置のディスプレイ特性との比較に基づいて、意図されたディスプレイ装置についてビデオ・コンテンツの前記複数の前記仮想モデル・バージョンのうちの特定の仮想モデル・バージョンを供給」しているといえる。
　もっとも、本願発明では、上記「ビデオ・コンテンツ」が「ユーザによって選択されたビデオ・コンテンツ」であるのに対し、刊行物１発明では、「ユーザによって選択されたビデオ・コンテンツ」ではない点で相違する。
　以上のことから、刊行物１発明の構成要件（ｃ）は本願発明の構成要件（Ｃ）と「前記仮想モデル仕様の前記ディスプレイ特性の少なくとも１つと、意図されたディスプレイ装置のディスプレイ特性との比較に基づいて、意図されたディスプレイ装置についてビデオ・コンテンツの前記複数の前記仮想モデル・バージョンのうちの特定の仮想モデル・バージョンを供給する工程」を有している点で相違がない。
　もっとも、上記「ビデオ・コンテンツ」が、本願発明では、「ユーザによって選択されたビデオ・コンテンツ」であるのに対し、刊行物１発明では、「ユーザによって選択されたビデオ・コンテンツ」ではない点で相違する。
　
５ｄ．本願発明の構成要件（Ｄ）と刊行物１発明の構成要件（ｄ）とを対比する。
　刊行物１発明の階層符号化された階層ストリーム列Ｕａは、ｎが３の時、Ｕ１、Ｕ２、Ｕ３から成り、受信側において、
低解像度の階層ストリームＵ１を復号Ｄ１で復号して、低解像度の復号データ１を得、受信側の表示出力の能力が低解像度レベルの場合は、該復号データ１を表示出力し、
　階層ストリームＵ２を復号した結果を、前記復号Ｄ１で復号した復号データ１に付加的に加算することにより、中解像度の復号データ２を得、受信側の表示出力の能力が中解像度レベルの場合は、該復号データ２を表示出力し、
　階層ストリームＵ３を復号した結果を、前記復号Ｄ２で復号した復号データ２に付加的に加算することにより、高解像度の復号データ３を得、これを表示出力する
のであるから、低解像度の階層の復号データはＵ１のみを復号化することで表示出力することが可能であり、中解像度の復号データは、Ｕ１を復号化したデータとＵ２を復号化したデータとから導き出すことができ、高解像度の復号データは、Ｕ１、Ｕ２、Ｕ３をそれぞれ復号化したデータとから導き出すことができるから、低解像度のＵ１はベース層バージョン、中解像度のＵ２、高解像度のＵ３はエンハンスメント層といえ、各層は階層的であり、各階層（高解像度、中解像度、低解像度）間の差分を表しているといえる。
　したがって、刊行物１発明は、本願発明の構成要件（Ｄ）を有しているといえる。
　
５ｅ．まとめ（一致点・相違点）
　以上まとめると、補正後発明と刊行物１発明とは以下の一致点で一致し相違点で相違する。
　
（一致点）
　ネットワークを介してディスプレイ装置特有のビデオ・コンテンツを供給する方法であって、
　複数の仮想装置モデルに応じて生成されたビデオ・コンテンツの複数の仮想モデル・バージョンを得る行程であって、前記複数の仮想装置モデルそれぞれは、ディスプレイ装置の少なくとも１つのディスプレイ特性を表す仮想モデル仕様を有する工程と、
　前記仮想モデル仕様の前記ディスプレイ特性の少なくとも１つと、意図されたディスプレイ装置のディスプレイ特性との比較に基づいて、意図されたディスプレイ装置についてビデオ・コンテンツの前記複数の前記仮想モデル・バージョンのうちの特定の仮想モデル・バージョンを供給する工程とを含み、
　前記複数の仮想モデル・バージョンは、ベース層バージョン、及び複数のエンハンスメント層から導き出すことが可能であり、前記複数のエンハンスメント層それぞれは階層的であり、別々の仮想モデル・バージョン間の差を表す方法。
 　
（相違点１）
　「仮想モデル・バージョンを得る行程」が、本願発明では「仮想モデル・バージョンをコンテンツ・サーバにおいて記憶する工程」であるのに対し、刊行物１発明では「仮想モデル・バージョンを受信する行程」である点。
　
（相違点２）
　「ビデオ・コンテンツ」が、本願発明では、「ユーザによって選択されたビデオ・コンテンツ」であるのに対し、刊行物１発明では、「ユーザによって選択されたビデオ・コンテンツ」ではない点。
　
第６　判断
６ａ．相違点１、相違点２について
　刊行物１発明では、配信する対象のストリーム（ビデオ・コンテンツ）が、テレビ会議の動画像を前提としているから、配信装置は、カメラで撮像した画像をそのままリアルタイムで受信して（記憶することなく）配信している。
　しかし、刊行物１の【０００２】には「近年、インターネットを活用して音声や映像のストリームデータを配信して、放送や多地点テレビ会議などが行われるようになってきた。」との記載もあるように放送による配信にも用いられることが示唆されており、上記放送による配信では、サーバに階層符号化されたビデオ・コンテンツを複数蓄積しておき、ユーザが上記蓄積された複数のビデオ・コンテンツから所望のコンテンツを選択すると、サーバが上記選択されたビデオ・コンテンツを配信する構成は本願出願前周知の構成である。
　したがって、刊行物１発明の配信するビデオ・コンテンツを上記周知のサーバに蓄積されたビデオ・コンテンツとし、ユーザが上記蓄積された複数のビデオ・コンテンツから、所望のビデオ・コンテンツを選択することで、サーバが選択されたビデオ・コンテンツを配信する構成とすることは当業者が容易になしえたことであるといえるから、刊行物１発明に、上記相違点１、相違点２の構成を採用することは当業者が容易になしえたことである。
　
（サーバに階層符号化された複数のビデオコンテンツを蓄積して配信する周知例）
特開２００６−２９５６０１号公報
特開２００７−　８９１３２号公報（背景技術の段落参照）
特開２００６−１５５１７８号公報
　
６ｂ．効果等
　以上のように、上記各相違点は、当業者が容易に想到し得たものと認められ、本願発明全体としてみても格別のものはなく、その作用効果も、上記各相違点に係る構成の採用に伴って当然に予測される程度のものにすぎず、格別顕著なものがあるとは認められない。
　
第７　むすび
　以上のとおり、本願発明は、刊行物１に記載された発明に基づいて、当業者が容易に発明をすることができたものであるから、特許法第２９条第２項の規定により特許を受けることができない。
　したがって、残る請求項２ないし請求項１４に係る発明について検討するまでもなく、本願は拒絶すべきものである。
　よって、結論のとおり審決する。